(57)【特許請求の範囲】
【請求項１】
音声信号を音声に変換して放音するドライバユニットを内蔵する一対のイヤピースと、
上記一対のイヤピースを連結するヘッドバンドと、
上記ヘッドバンドと上記一対のイヤピースの連結部相互間にまたがって支持された弾性サポートと、を有し、
上記弾性サポートは、この弾性サポートの両端部において弾性サポートの長さ方向に進退可能に設けられ上記ヘッドバンドと上記一対のイヤピースの連結部のそれぞれに連結される一対の連結部材と、上記一対の連結部材を上記弾性サポート内に引き込む向きに付勢する一対の圧縮コイルばねとを備えることにより、上記弾性サポートの上記一対の連結部材からなる伸縮部が上記弾性サポートの両端部のそれぞれに分割して設けられ、
上記一対の連結部材は、上記弾性サポートの内方に延びている一対のガイド筒と、上記連結部材の進退をガイドする一対のガイド軸とを備え、
上記一対の圧縮コイルばねは、上記一対のガイド筒と上記一対のガイド軸とによりそれぞれ独立して、上記一対の連結部材の上記弾性サポートに対する進退をガイドすることを特徴とするヘッドホン。
【請求項２】
上記弾性サポートはその長さ方向両端部にキャップを有し、このキャップによって上記連結部材が上記弾性サポートの長さ方向に進退可能にガイドされている請求項１記載のヘッドホン。
【請求項３】
上記キャップには上記ガイド筒が固定されている請求項２記載のヘッドホン。
【請求項４】
上記キャップには上記ガイド軸の一端部が固定され、このガイド軸は上記弾性サポートの内方に延びて上記ガイド筒の奥側の端板を貫通している請求項３記載のヘッドホン。
【請求項５】
上記ガイド軸は上記連結部材の奥側の端部を貫通して上記連結部材の進退をガイドする請求項４記載のヘッドホン。
【請求項６】
上記連結部材は長さ方向に沿ってスリット状の溝を有し、この溝に沿って上記ガイド軸が延びている請求項４または５記載のヘッドホン。
【請求項７】
上記圧縮コイルばねは、上記連結部材のスリット状の溝に配置され、上記圧縮コイルばねを上記ガイド軸が貫通して、上記ガイド軸が上記圧縮コイルばねの位置を規制している請求項６記載のヘッドホン。
【請求項８】
上記圧縮コイルばねの長さ方向の両端は、上記キャップと、上記スリット状の溝の一端を区切る壁面とで規制されている請求項７記載のヘッドホン。
【請求項９】
上記弾性サポートは、スペーサにより空間をおいて対向する一対の基板を有し、これらの基板の長さ方向両端部に上記キャップが被せられて上記一対の基板およびキャップが結合され、
上記空間において上記連結部材が進退し、上記空間に上記圧縮コイルばねが配置されている請求項２記載のヘッドホン。
【請求項１０】
上記弾性サポートは、使用者の頭が接する側の面にパッド部材が配置され、このパッド部材の長さ方向両端部は上記キャップに結合されている請求項２または３記載のヘッドホン。
【発明の詳細な説明】
【技術分野】
【０００１】
本発明は、左右一対のイヤピースをヘッドバンドで連結してなるヘッドホンであって、使用者の頭の大きさや形などに応じて伸縮することにより、個人差に対応して最適装着位置を維持することができる弾性ブリッジを備えたヘッドホンに関するものである。
【背景技術】
【０００２】
左右一対のイヤピースをヘッドバンドで連結してなるヘッドホンには、使用者の頭の大きさや形などの個人差に応じてヘッドバンドが伸縮する形式のものと、個人差に対応して最適装着位置を維持することができる弾性ブリッジを備えたものがある。本発明は後者に分類される。
【０００３】
上記後者に分類されるヘッドホンの例として特許文献１に記載されているものが知られている。特許文献１に記載されているヘッドホンは、左右のユニットハウジングすなわちイヤピースを互いに連結する連結ブリッジ部すなわちヘッドバンドに相当する部分と、両端がヘッドバンドと各イヤピースとの接続部近傍に取り付けられて上記ヘッドバンドと各イヤピースとの接続部近傍間にまたがって支持されたサスペンダ部材と、を備え、上記サスペンダ部材は、伸縮部と非伸縮部とが一体的に連設され、上記伸縮部を筒状に形成されたパッド部材により覆ってなるものである。
【先行技術文献】
【特許文献】
【０００４】
【特許文献１】特許第３５２０５３１号公報
【発明の概要】
【発明が解決しようとする課題】
【０００５】
特許文献１記載のヘッドホンによれば、サスペンダ部材は、伸縮部と非伸縮部が連続して一体的に形成されているため、伸縮部がサスペンダ部材の長手方向の片方に片寄る、あるいはよじれる、といった難点があり、装着感が良くなかった。また、筒状のパッド部材が伸縮部を覆うカバーとしての役目ももっているが、パッド部材は単に上記伸縮部に被せただけで固定されていないため、パッド部材の位置がずれるという難点があった。
【０００６】
本発明は、上記従来のヘッドホンに見られるような問題点を解消し、ヘッドバンドと各イヤピースとの接続部近傍間をつなぐ弾性サポートのねじれや、弾性サポートが備えている弾性部材の片寄りがなく、装着感を改善することができるヘッドホンを提供することを目的とする。
本発明の別の態様は、弾性サポートを覆うパッド部材の位置ずれがなく、装着感が損なわれることを防止することができるヘッドホンを提供することを目的とする。
【課題を解決するための手段】
【０００７】
本発明は、音声信号を音声に変換して放音するドライバユニットを内蔵する一対のイヤピースと、一対のイヤピースを連結するヘッドバンドと、ヘッドバンドと一対のイヤピースの連結部相互間にまたがって支持された弾性サポートと、を有し、弾性サポートは、この弾性サポートの両端部において弾性サポートの長さ方向に進退可能に設けられヘッドバンドと一対のイヤピースの連結部のそれぞれに連結される一対の連結部材と、一対の連結部材を弾性サポート内に引き込む向きに付勢する一対の圧縮コイルばねとを備えることにより、弾性サポートの一対の連結部材からなる伸縮部が弾性サポートの両端部のそれぞれに分割して設けられ、一対の連結部材は、弾性サポートの内方に延びている一対のガイド筒と、連結部材の進退をガイドする一対のガイド軸とを備え、一対の圧縮コイルばねは、一対のガイド筒と一対のガイド軸とによりそれぞれ独立して弾性サポートに対する進退をガイドされることを最も主要な特徴とする。
【０００８】
本発明の別の態様は、上記弾性サポートがその長さ方向両端部にキャップを有し、このキャップによって連結部材が弾性サポートの長さ方向に進退可能にガイドされていることを特徴とする。
本発明のさらに別の態様は、上記弾性サポートが、スペーサにより空間をおいて対向する一対の基板を有し、これらの基板の長さ方向両端部にキャップが被せられて上記一対の基板およびキャップが結合され、上記空間において連結部材が進退し、上記空間に付勢部材としてのコイルばねが配置されていることを特徴とする。
本発明のさらに別の態様は、上記弾性サポートが、使用者の頭が接する側の面にパッド部材が配置され、このパッド部材の長さ方向両端部はキャップに結合されていることを特徴とする。
【発明の効果】
【０００９】
使用者がヘッドホンを装着したとき、頭の形状や大きさなど、個人差に応じて弾性サポートの連結部からなる伸縮部が伸縮し、最適な装着位置を維持する。弾性サポートの伸縮部は弾性サポートの両端部に分割して設けられているため、両端部の伸縮部が均等に伸縮する。また、弾性サポートが上記伸縮部においてねじれることもない。したがって、ヘッドホンの装着感を改善することができる。
【００１０】
本発明の別の態様のように、弾性サポートがその長さ方向両端部にキャップを有し、かつ、スペーサにより空間をおいて対向する一対の基板の長さ方向両端部に上記キャップが被せられ、使用者の頭が接する側に配置されたパッド部材の長さ方向両端部がキャップに結合されていることにより、パッド部材の位置ずれがなく、この点からもヘッドホンの装着感を改善することができる。
【図面の簡単な説明】
【００１１】
【図１】本発明に係るヘッドホンの実施例を示す斜視図である。
【図２】上記実施例中の弾性サポートを、部分的に切り欠いて示す平面図である。
【図３】図２中の線Ａ−Ａに沿う断面図である。
【図４】図２中の線Ｂ−Ｂに沿う断面図である。
【発明を実施するための形態】
【００１２】
以下、本発明に係るヘッドの実施例を、図面を参照しながら説明する。
【実施例】
【００１３】
図１において、符号１は、音声信号を音声に変換して放音するドライバユニットを内蔵した左右一対のイヤピースを示している。各イヤピース１は、上記ドライバユニットを内蔵したカップ状のハウジング１１と、ハウジング１１の開放端側の周縁に沿って取り付けられたイヤパッド１２を有してなる。各イヤピース１のハウジング１１には、半円形のハンガー２の両端部が軸によって連結されている。ハンガー２はハウジング１１の外周に沿ってその約半周をまたいでいて、ハンガー２の両端部の上記軸はハウジング１１の中心を通る直径方向の共通の中心軸線上にある。したがって、ハンガー２は上記両端部の軸を中心に、イヤピース１に対して回転することができる。半円形の各ハンガー２の中心部からは、半円形の半径方向外側に向かって軸２１が伸びていて、これらの軸２１はそれぞれこれらの軸２１を中心に回転可能に連結ブロック３に連結されている。
【００１４】
左右の連結ブロック３には、使用者の頭部をまたいで左右の両側頭部に対応する位置まで至るように、円弧状に形成された２本の棒状のヘッドバンド４の両端部が連結されている。各ヘッドバンド４は金属の棒を同じ形に折り曲げることによって形成され、各連結ブロック３の前側と後ろ側に適宜の間隔をおいて連結されている。各ヘッドバンド４は、結果的には連結ブロック３、軸２１を介して左右一対のイヤピース１を連結している。したがって、各連結ブロック３は一対のイヤピース１とヘッドバンド４との連結部を構成している。
【００１５】
上記のようにして一対のイヤピース１とヘッドバンド４との連結部を構成している左右の連結ブロック３には、これらの連結ブロック３相互間にまたがって、緩やかな円弧を描いた弾性サポート５が支持されている。弾性サポート５は、両端部において弾性サポート５の長さ方向に進退可能に設けられた連結部材５１を有していて、この連結部材５１の先端部が、上記ヘッドバンド４と上記一対のイヤピース１の連結部を構成する連結ブロック３に連結されている。弾性サポート５は、各連結部材５１を弾性サポート５内に引き込む向きに付勢する付勢部材を備えていて、上記各連結部材５１、上記付勢部材を有することにより、上記各連結部材５１からなる伸縮部が両端部に分割して設けられている。
【００１６】
図２ないし図４は弾性サポート５の具体的な構成を示している。図２ないし図４において、弾性サポート５は、上下に相対向する上基板５６、下基板５７と、これらの基板５６,５７間に所定の間隔を持たせるために、基板５６，５７の幅方向両端において基板５６，５７の長手方向に沿って配置され、基板５６，５７間に介在しているスペーサ５８と、上記基板５６，５７とスペーサ５８の長さ方向両端部に嵌められたキャップ５２を有している。上下の基板５６，５７間に形成されている空間のうち弾性サポート５の長さ方向中間部の空間はスポンジ状のクッション材５９で埋められ（図３参照）、弾性サポート５の長さ方向両端部には、上下方向の間隔が上記スペーサ５８の厚さに相当する空間が形成されている。
【００１７】
前記各連結部材５１は各キャップ５２を貫通して弾性サポート５内に進入している。各連結部材５１は長さ方向に沿ってスリット状の溝５１１を有していて、この溝５１１をキャップ５２のガイドピン（図示されず）が貫通することにより、各連結部材５１はその長さ方向すなわち弾性サポート５の長さ方向への進退がガイドされている。各キャップ５２にはまた、連結部材５１の上記進退をガイドするガイド筒５５の一端部が固定され、このガイド筒５５は弾性サポート５の内方に延びている。連結部材５１は細長い帯状になっていて、ガイド筒５５の横断面に現れる内部空間の形状は上記連結部材５１の横断面形状とほぼ同じ細長の長方形状になっている。連結部材５１はガイド筒５５に嵌り、ガイド筒５５にガイドされて弾性サポート５に進退する。
【００１８】
上記各キャップ５２には金属線からなるガイド軸５４の一端部が固着されていて、ガイド軸５４は弾性サポート５の内方に延びてガイド筒５５の奥側の端板を貫通している。連結部材５１に長さ方向に沿って形成されているスリット状の上記溝５１１に沿ってガイド軸５４が延びている。このガイド軸５４は連結部材５１の奥側の端部を貫通し、ガイド軸５４によっても連結部材５１の進退がガイドされるようになっている。連結部材５１のスリット状の溝５１１には付勢部材としてコイルばね５３が配置され、このコイルばね５３を上記ガイド軸５４が貫通して、ガイド軸５４がコイルばね５３の位置を規制している。このようにして、コイルばね５３の長さ方向の両端は、キャップ５２と、スリット状の溝５１１の一端を区切る壁面とで規制されている。各ガイド軸５４は、クッション材５９にまで至ることなく途切れていて、ガイド軸５４を含む連結部材５の伸縮部が、弾性サポート５の両端において完全に分離している。
【００１９】
前述のとおり、弾性サポート５の長さ方向両端部には、上下方向の間隔がスペーサ５８の厚さに相当する空間が上下の基板５６，５７間に形成されていて、この空間にガイド筒５５、ガイド軸５４、コイルばね５３が配置され、上記空間で連結部材５１が進退するようになっている。弾性サポート５の本体部分は、いくらか弾性を有するように、弾性サポート５の本体部分を構成する上下の基板５６，５７、スペーサ５８などは弾性材で作られている。
【００２０】
図３、図４に示すように、弾性サポート５を構成する上基板５７の下面、すなわちヘッドホン使用者の頭が接する側の面にはパッド部材６０が配置され、このパッド部材６０の長さ方向両端部はキャップ５２に結合されている。より正確には、パッド部材６０を含む弾性サポート５の外周は、皮革あるいは布などからなる外表部材６１で覆われ、外表部材６１とともにパッド部材６０および上下の基板５６，５７の長さ方向両端部がキャップ５２に結合されている。
【００２１】
図１に示すように、弾性サポート５は緩やかな弧を描いてヘッドバンド４の下位にあり、使用者がヘッドホンを頭部に装着すると、頭の頂部が弾性サポート５に接する。弾性サポート５に外力が加わらない自然状態では、両端部の連結部材５１が付勢部材であるコイルばね５３の付勢力により弾性サポート５内に向かって引き込まれ、連結部材５１を含めた弾性サポート５の長さが最も短い状態になっている。したがって、ヘッドホンの非使用状態では、弾性サポート５が最も下に移行した状態、すなわち対をなすイヤピース１に最も近づいた位置にある。
【００２２】
使用者がヘッドホンを頭部に装着すると、上記のように使用者の頭の頂部が弾性サポート５に接し、弾性サポート５が上方に押し上げられる向きに力が加わる。この力によって左右両側の連結部材５１がコイルばね５３の付勢力に抗して弾性サポート５の各端部から抜け出る方向にスライドし、連結部材５１からなる伸縮部を含めた弾性サポート５の長さが伸びる。このような弾性サポート５の長さの伸縮度合いは、使用者の頭の大きさや形状などの各種条件に応じて変化し、使用者に適合した弾性サポート５の位置を維持する。
【００２３】
以上説明した本発明に係るヘッドホンの実施例によれば、ヘッドバンド４と一対のイヤピース１の連結部相互間にまたがって支持された弾性サポート５は、連結部材５１からなる伸縮部が弾性サポート５の両端部に分割して設けられているため、弾性サポート５に外力が加わると両端部の伸縮部が均等に伸縮し、ヘッドホンの良好な装着感を得ることができる。また、上記伸縮部は、弾性サポート５の両端部に分割して設けられていることにより捩れることもなく、この点からもヘッドホンの良好な装着感を得ることができる。
【００２４】
使用者の頭部に対する当たりを和らげるパッド部材６０は、長さ方向の両端部がキャップ５２によって位置が固定されていて、片寄ることがないため、この点からもヘッドホンの良好な装着感を得ることができる。
弾性サポート５の長さ方向両端部にキャップ５２が設けられ、このキャップ５２をベースにしてガイド軸５４、ガイド筒５５、パッド部材６０を固定し、上記キャップ５２は連結部材５１のガイドとしても機能している。
【００２５】
図示の実施例では、連結部材５１の進退をガイドするガイド軸５４とガイド筒５５を備えているが、いずれか一方のみを備えていればよく、あるいは、キャップ５２にガイドを設けることによってガイド軸５４とガイド筒５５の両方を省略してもよい。
【産業上の利用可能性】
【００２６】
本発明にかかるヘッドホンは、イヤパッドを耳に載せる耳載せタイプのヘッドホンであってもよいし、イヤパッド１２が耳を取り囲む耳覆いタイプのヘッドホンであってもよい。
【符号の説明】
【００２７】
１    イヤピース
２    ハンガー
３    連結ブロック
４    ヘッドバンド
５    弾性サポート
１１    ハウジング
１２    イヤパッド
５１    連結部材
５２    キャップ
５３    付勢部材（コイルばね）
５４    ガイド軸
５５    ガイド筒
５６    上基板
５７    下基板
５８    スペーサ
６０    パッド部材
【図１】
0005449972.tif 000002
【図２】
0005449972.tif 000003
【図３】
0005449972.tif 000004
【図４】
0005449972.tif 000005